【手続補正書】
【提出日】平成18年2月27日(2006.2.27)
【手続補正１】
【補正対象書類名】特許請求の範囲
【補正対象項目名】全文
【補正方法】変更
【補正の内容】
【特許請求の範囲】
【請求項１】
放送局から発信された放送信号を受信する放送受信手段と、
光ディスクに記録する番組を設定する記録設定手段と、
前記放送信号とともに発信される電子番組ガイド情報、または電子番組ガイド配信サイトからインターネットを介して取得した電子番組ガイド情報から、前記放送受信手段によって受信される放送信号に応じて前記光ディスクに記録される前記設定された番組のコンテンツ情報を取得するコンテンツ情報取得手段と、
前記光ディスクのデータ記録面にレーザ光を照射してマーク及びスペースを形成するプロセスによって前記設定された番組を記録するとともに、このプロセスを用いて前記光ディスクのデータ記録面の空き領域または前記データ記録面の反対面であるレーベル面に、前記設定された番組のコンテンツ情報を表示する可視画像を形成する光ディスク記録再生手段と、
を備えた光ディスク記録装置。
【請求項２】
前記コンテンツ情報取得手段が取得したコンテンツ情報を記憶する記憶手段を備え、
前記光ディスク記録再生手段は、前記設定された番組を記録後に前記記憶手段からこの番組のコンテンツ情報を読み出して、前記光ディスクのデータ記録面または前記データ記録面の反対面であるレーベル面に、前記設定された番組のコンテンツ情報を表示する可視画像を形成する請求項１に記載の光ディスク記録装置。
【請求項３】
前記コンテンツ情報取得手段は、番組データ及びコンテンツ情報が記録された光ディスクがセットされると、前記光ディスク記録再生手段が読み出したコンテンツ情報から、前記光ディスクに記録された番組のコンテンツ情報を取得し、
前記光ディスク記録再生手段は、前記コンテンツ情報取得手段が取得した番組のコンテンツ情報に基づいてこの光ディスクに記録された番組のコンテンツ情報を表示する可視画像を形成する請求項１に記載の光ディスク記録装置。
【手続補正２】
【補正対象書類名】明細書
【補正対象項目名】００１０
【補正方法】変更
【補正の内容】
【００１０】
（１）放送局から発信された放送信号を受信する放送受信手段と、
光ディスクに記録する番組を設定する記録設定手段と、
前記放送信号とともに発信される電子番組ガイド情報、または電子番組ガイド配信サイトからインターネットを介して取得した電子番組ガイド情報から、前記放送受信手段によって受信される放送信号に応じて前記光ディスクに記録される前記設定された番組のコンテンツ情報を取得するコンテンツ情報取得手段と、
前記光ディスクのデータ記録面にレーザ光を照射してマーク及びスペースを形成するプロセスによって前記設定された番組を記録するとともに、このプロセスを用いて前記光ディスクのデータ記録面の空き領域または前記データ記録面の反対面であるレーベル面に、前記設定された番組のコンテンツ情報を表示する可視画像を形成する光ディスク記録再生手段と、
を備えたことを特徴とする。
【手続補正３】
【補正対象書類名】明細書
【補正対象項目名】００１１
【補正方法】変更
【補正の内容】
【００１１】
この構成においては、光ディスクにマーク及びスペースを形成して光ディスクに番組を記録するだけでなく、光ディスクに記録した番組のコンテンツ情報を表示する可視画像をこのプロセスを用いて形成することができる。また、光ディスク記録装置は、記録設定手段によって設定された光ディスクに記録される番組のコンテンツ情報を放送信号とともに発信される電子番組ガイド情報、またはインターネットを介して配信される電子番組ガイド情報から取得して、前記の可視画像を形成するので、放送局から放送信号だけが発信されている場合でも番組のコンテンツ情報を必ず取得できる。したがって、光ディスク記録装置で光ディスクへ番組を記録した際に、記録した番組のコンテンツ情報を表示する可視画像を形成するように設定することで、番組の記録及び可視画像の形成が完了して光ディスク装置から光ディスクを取り出したときから、光ディスクに何の番組を記録したかをすぐに判別することができる。
【手続補正４】
【補正対象書類名】明細書
【補正対象項目名】００１３
【補正方法】変更
【補正の内容】
【００１３】
（２）前記コンテンツ情報取得手段が取得したコンテンツ情報を記憶する記憶手段を備え、
前記光ディスク記録再生手段は、前記設定された番組を記録後に前記記憶手段からこの番組のコンテンツ情報を読み出して、前記光ディスクのデータ記録面または前記データ記録面の反対面であるレーベル面に、前記設定された番組のコンテンツ情報を表示する可視画像を形成することを特徴とする。
【手続補正５】
【補正対象書類名】明細書
【補正対象項目名】００１４
【補正方法】変更
【補正の内容】
【００１４】
この構成においては、光ディスク記録装置は光ディスクに記録したコンテンツ情報を記憶手段で記憶するので、光ディスクに番組を記録した直後にこのコンテンツ情報を記憶手段から読み出して光ディスクに記録した番組のコンテンツ情報を表示する可視画像を形成することができる。また、光ディスクに番組を記録して光ディスク記録装置から一旦光ディスクを取り出した場合でも、この光ディスクを光ディスク記録装置にセットして、この光ディスクに記録した番組のコンテンツ情報を表示する可視画像を形成することができる。
【手続補正６】
【補正対象書類名】明細書
【補正対象項目名】００１５
【補正方法】変更
【補正の内容】
【００１５】
（３）前記コンテンツ情報取得手段は、番組データ及びコンテンツ情報が記録された光ディスクがセットされると、前記光ディスク記録再生手段が読み出したコンテンツ情報から、前記光ディスクに記録された番組のコンテンツ情報を取得し、
前記光ディスク記録再生手段は、前記コンテンツ情報取得手段が取得した番組のコンテンツ情報に基づいてこの光ディスクに記録された番組のコンテンツ情報を表示する可視画像を形成することを特徴とする。
【手続補正７】
【補正対象書類名】明細書
【補正対象項目名】００１６
【補正方法】変更
【補正の内容】
【００１６】
この構成においては、光ディスク記録装置は、番組データとともに番組のコンテンツ情報が記録された光ディスクがセットされると、光ディスクに記録された番組のコンテンツ情報を取得して、光ディスクのデータ記録面に番組のコンテンツ情報を表示する可視画像を形成することができる。したがって、他の光ディスク記録装置で記録した光ディスクであっても光ディスクに番組のコンテンツ情報が記録されていると、その光ディスクに記録した番組のコンテンツ情報を表示する可視画像を形成することができる。
【手続補正８】
【補正対象書類名】明細書
【補正対象項目名】００１８
【補正方法】変更
【補正の内容】
【００１８】
図１は、本発明の実施形態に係る光ディスク記録装置の概略構成を示したブロック図である。本発明は記録型光ディスクに対して、ラジオやテレビの番組を録音・録画する記録再生部を有しており、以下の説明では記録型光ディスクとしてＤＶＤ＋Ｒを例に挙げて説明する。光ディスク記録装置であるＤＶＤレコーダ１は、図外の放送局から発信された放送信号を受信して、放送信号をモニタ２へ出力したり、放送信号をＤＶＤ＋Ｒ５に記録したりする。モニタ２は、ＤＶＤレコーダ１から放送信号が出力されると、ユーザの操作に応じて番組の映像表示や音声出力を行ったりＥＰＧ（電子番組ガイド情報）を表示したりする。
【手続補正９】
【補正対象書類名】明細書
【補正対象項目名】００５２
【補正方法】変更
【補正の内容】
【００５２】
バッファメモリ４６は、ＥＰＧデータ選択部１９から転送された可視画像形成データを一時的に格納し、レーザ照射パターン変換回路４７へ出力する。レーザ照射パターン変換回路４７は、可視画像形成データをレーザ照射パターンへ変換し、レーザドライバ３９へ出力する。
【手続補正１０】
【補正対象書類名】明細書
【補正対象項目名】００７４
【補正方法】変更
【補正の内容】
【００７４】
次に、ＤＶＤレコーダ１においてＨＤＤ２３に録画したデータをＤＶＤにダビングする場合について説明する。図６は、ＤＶＤレコーダのＨＤＤに番組を予約録画して、録画が完了した番組をＤＶＤ＋Ｒにダビングする動作を説明するためのフローチャートである。なお、図６の説明では、ＤＶＤレコーダ１が光ピックアップ３０を２つ備えた構成であるものとして説明する。ＤＶＤレコーダ１では、図４に基づいて説明した手順と同様の手順により、番組の録画予約が行われてＨＤＤ２３に番組が録画されている。また、番組予約の際に予約された番組のコンテンツ情報が取得されてＥＰＧデータベース２０に記録されている。